(57)【要約】【課題】本人認証の有無に関わらず解錠が不可能となる期間を設定することによってセキュリティを向上させた電子錠装置、ロッカーシステム及び電子錠の施錠解錠方法を提供する。【解決手段】電子的な操作により施錠及び解錠が行われる電子錠と、電子錠の施錠及び解錠を制御する制御部とを有する電子錠装置であって、制御部１２ａは、ユーザ本人を認証する本人認証部１２１と、本人認証部１２１がユーザ本人を認証した場合に電子錠を解錠する解錠指示部１２２と、前記電子錠を施錠する際に再び解錠することが可能となる解錠時刻を設定する解錠時刻設定部１２３と、前記解錠時刻設定部１２３が解錠時刻を設定した場合、設定された解錠時刻になるまで、前記解錠指示部１２２が前記電子錠を解錠することを禁止する解錠禁止部１２４とを備える。【選択図】図１
2009155981.tif 000002
【特許請求の範囲】
【請求項１】
電子的な操作により施錠及び解錠が行われる電子錠と、
前記電子錠の施錠及び解錠を制御する制御部とを有する電子錠装置であって、
前記制御部は、
ユーザ本人を認証する本人認証部と、
前記本人認証部がユーザ本人を認証した場合に前記電子錠を解錠する解錠指示部と、
前記電子錠を施錠する際に再び解錠することが可能となる解錠時刻を設定する解錠時刻設定部と、
前記解錠時刻設定部が解錠時刻を設定した場合、設定された解錠時刻になるまで、前記解錠指示部が前記電子錠を解錠することを禁止する解錠禁止部とを備える
ことを特徴とする電子錠装置。
【請求項２】
扉を有するボックスと、
前記扉に設けられた電子錠と、
前記電子錠の施錠及び解錠を制御する制御部とを有するロッカーシステムであって、
前記制御部は、
ユーザ本人を認証する本人認証部と、
前記本人認証部がユーザ本人を認証した場合に前記電子錠を解錠する解錠指示部と、
前記電子錠を施錠する際に再び解錠することが可能となる解錠時刻を設定する解錠時刻設定部と、
前記解錠時刻設定部が解錠時刻を設定した場合、設定された解錠時刻になるまで、前記解錠指示部が前記電子錠を解錠することを禁止する解錠禁止部とを備える
ことを特徴とするロッカーシステム。
【請求項３】
暗証番号を登録する暗証番号登録部を更に有し、
前記本人認証部は、ユーザ本人が登録した暗証番号によりユーザ本人を認証する
ことを特徴とする請求項２に記載のロッカーシステム。
【請求項４】
ユーザ本人が携帯する情報媒体に記録されているデータを読み取るリーダ部を更に有し、
前記本人認証部は、ユーザ本人が携帯する情報媒体に記録された識別データによりユーザ本人を認証する
ことを特徴とする請求項２又は３のいずれかに記載のロッカーシステム。
【請求項５】
前記解錠時刻設定部は、ユーザ本人がロッカーシステムの利用を開始してから所定の時間後の時刻を前記解錠時刻として設定することを特徴とする請求項２から４のいずれか一項に記載のロッカーシステム。
【請求項６】
時刻を入力する時刻入力部を更に有し、
前記解錠時刻設定部は、ユーザ本人が入力した時刻を前記解錠時刻として設定する
ことを特徴とする請求項２から４のいずれか一項に記載のロッカーシステム。
【請求項７】
ユーザ本人が携帯する情報媒体に記録されているデータを読み取るリーダ部を更に有し、
前記制御部は、前記情報媒体に記録されているユーザ本人のスケジュールを示すデータに基づいて、ユーザ本人が入力した時刻が適正か否かを判断する取出時刻判断部を更に備え、
前記解錠時刻設定部は、ユーザ本人が入力した時刻が適正であると前記取出時刻判断部が判断した場合、ユーザ本人が入力した時刻を前記解錠時刻として設定する
ことを特徴とする請求項６に記載のロッカーシステム。
【請求項８】
ユーザ本人が携帯する情報媒体に記録されているデータを読み取るリーダ部を更に有し、
前記解錠時刻設定部は、前記情報媒体に記録されているユーザ本人のスケジュールを示すデータに基づいて、前記解錠時刻を設定する
ことを特徴とする請求項２又は３のいずれかに記載のロッカーシステム。
【請求項９】
前記解錠時刻設定部が解錠時刻を設定した場合、前記電子錠を施錠してから所定の猶予期間内に限り、前記解錠禁止部の禁止機能を関わらず、前記解錠指示部は、前記本人認証部がユーザ本人を認証した時に前記電子錠を解錠することを特徴とする請求項２から８いずれか一項に記載のロッカーシステム。
【請求項１０】
ユーザ本人を認証する認証手段を登録する段階と、再び解錠することが可能となる解錠時刻を設定する段階と、電子錠を施錠する段階とを有する施錠ステップと、
前記認証手段を照合することによりユーザ本人を認証する段階と、設定された前記解錠時刻を経過しているか否かを判断する段階と、ユーザ本人を認証し、且つ設定された前記解錠時刻を経過していると判断した後に、電子錠を解錠する段階とを有する解錠ステップと
を備えることを特徴とする電子錠の施錠解錠方法。
【発明の詳細な説明】
【技術分野】
【０００１】
本発明は、本人認証機能を備え、且つ電子的な操作により施錠及び解錠が行われる電子錠装置及びロッカーシステム及び電子錠の施錠解錠方法に関する。
【背景技術】
【０００２】
従来から、ゴルフ場やフィットネスクラブ、スポーツジム、プールなどのスポーツ施設において、ユーザの利用に供される貴重品ロッカーが知られている。この中でも、物理的な鍵を用いずに例えば暗証番号の入力によってユーザ本人を認証して電子的な操作により施錠及び解錠を行う電子錠装置を備えたものが普及している（特許文献１参照）。
【０００３】
近年、貴重品ロッカーのセキュリティを向上させるべく、本人を認証する認証手段として、これまでの暗証番号に加えて、非接触型ＩＣカードやリストバンドなど、ユーザが携帯する情報媒体に記録された識別データ（機械が発行する指定番号やバーコードなど）を併用する、いわゆる「二重セキュリティ方式」が一般化しつつある（特許文献２参照）。
【０００４】
二重セキュリティ方式によれば、暗証番号と識別データが同時に照合されない限り電子錠は解錠されないので、暗証番号が盗み見られる、試行により暗証番号が探知される等の不正が発生した場合であっても、情報媒体内の識別データによって貴重品ロッカーのセキュリティは確保される。
【特許文献１】特開２００１−３２３６９６号公報
【特許文献２】特許第３４５７７７２号公報
【発明の開示】
【発明が解決しようとする課題】
【０００５】
ところで、例えばゴルフ場のクラブハウスなどに設置されている貴重品ロッカーを利用するユーザは、通常、荷物をボックス内に預けて施錠した後にゴルフコースに出る。ユーザは、ゴルフをプレーしている間、ボックスを解錠することはないが、貴重品ロッカーはユーザがプレーしている間も通常通りに稼働しているため、例えばＩＣカードやリストバンドの紛失や盗難、カードの偽造などが発生した場合に不正に解錠されてしまうおそれがあり、セキュリティの更なる向上が望まれる。
【０００６】
このように、ユーザが貴重品ロッカーを施錠してから再び解錠するまでの期間がある程度予測できる場合、その期間はたとえユーザ本人を認証した時であってもボックスを解錠できないようにすれば、貴重品ロッカーのセキュリティが更に向上し、ユーザの安心感も高まる。
【０００７】
本発明の目的は、本人認証の有無に関わらず解錠が不可能となる期間を設定することによってセキュリティを向上させた電子錠装置、ロッカーシステム及び電子錠の施錠解錠方法を提供することである。
【課題を解決するための手段】
【０００８】
本発明の第１の特徴は、電子的な操作により施錠及び解錠が行われる電子錠と、前記電子錠の施錠及び解錠を制御する制御部とを有する電子錠装置であって、前記制御部は、ユーザ本人を認証する本人認証部と、前記本人認証部がユーザ本人を認証した場合に前記電子錠を解錠する解錠指示部と、前記電子錠を施錠する際に再び解錠することが可能となる解錠時刻を設定する解錠時刻設定部と、前記解錠時刻設定部が解錠時刻を設定した場合、設定された解錠時刻になるまで、前記解錠指示部が前記電子錠を解錠することを禁止する解錠禁止部とを備えることを要旨とする。
【０００９】
本発明の第２の特徴は、扉を有するボックスと、前記扉に設けられた電子錠と、前記電子錠の施錠及び解錠を制御する制御部とを有するロッカーシステムであって、前記制御部は、ユーザ本人を認証する本人認証部と、前記本人認証部がユーザ本人を認証した場合に前記電子錠を解錠する解錠指示部と、前記電子錠を施錠する際に再び解錠することが可能となる解錠時刻を設定する解錠時刻設定部と、前記解錠時刻設定部が解錠時刻を設定した場合、設定された解錠時刻になるまで、前記解錠指示部が前記電子錠を解錠することを禁止する解錠禁止部とを備えることを要旨とする。
【００１０】
本発明の第１及び第２の特徴によれば、解錠時刻設定部が解錠時刻を設定した場合、当該解錠時刻になるまで解錠指示部が前記電子錠を解錠することを解錠禁止部が禁止することにより、たとえ本人認証部がユーザ本人を認証した時であっても当該解錠時刻になるまで解錠することが不可能となり、解錠時刻までの間、電子錠装置及びロッカーシステムのセキュリティが向上し、ユーザの安心感も高まる。
【００１１】
本発明の第２の特徴において、ロッカーシステムは暗証番号を登録する暗証番号登録部を更に有し、前記本人認証部は、ユーザ本人が登録した暗証番号によりユーザ本人を認証してもよい。或いは、ロッカーシステムはユーザ本人が携帯する情報媒体に記録されているデータを読み取るリーダ部を更に有し、前記本人認証部は、ユーザ本人が携帯する情報媒体に記録された識別データによりユーザ本人を認証しても構わない。
【００１２】
本発明の第２の特徴において、前記解錠時刻設定部は、ユーザ本人がロッカーシステムの利用を開始してから所定の時間後の時刻を前記解錠時刻として設定してもよい。これにより、前記解錠時刻設定部が設定する解錠時刻は、ユーザ本人がロッカーシステムの利用を開始した時刻に基づいて定まるため、ユーザが自ら解錠時刻を設定する必要がなくなるので、複雑な操作をユーザに強いることなく、セキュリティを向上させることができる。ユーザ毎に、ロッカーシステムを利用する時間にあまり差がでないような場合（公衆浴場内の貴重品ボックスなど）に特に有効である。
【００１３】
本発明の第２の特徴において、ロッカーシステムは時刻を入力する時刻入力部を更に有し、前記解錠時刻設定部は、ユーザ本人が入力した時刻を前記解錠時刻として設定してもよい。解錠時刻設定部はユーザ本人が入力した時刻を解錠時刻として設定することにより、ユーザは、希望する解錠時刻を指定することができるので、ユーザ本人の利便性が向上する。時刻の代わりに時間を入力し、解錠時刻設定部が、電子錠を施錠した時刻から入力された時間後の時刻を解錠時刻として設定してもよい。
【００１４】
本発明の第２の特徴において、制御部は、前記情報媒体に記録されているユーザ本人のスケジュールを示すデータに基づいて、ユーザ本人が入力した時刻が適正か否かを判断する取出時刻判断部を更に備え、前記解錠時刻設定部は、ユーザ本人が入力した時刻が適正であると前記取出時刻判断部が判断した場合、ユーザ本人が入力した時刻を前記解錠時刻として設定してもよい。取出時刻判断部はユーザ本人のスケジュールを示すデータに基づいてユーザ本人が入力した時刻が適正か否かを判断することにより、ユーザの入力による誤った解錠時刻の設定が抑制され、ユーザの時刻設定の負担が軽減され、利便性が更に向上する。
【００１５】
本発明の第２の特徴において、前記解錠時刻設定部は、前記情報媒体に記録されているユーザ本人のスケジュールを示すデータに基づいて、前記解錠時刻を設定してもよい。解錠時刻設定部は、ユーザ本人のスケジュールを示すデータに基づいて解錠時刻を設定するため、ユーザが自ら解錠時刻を入力する必要がなくなるので、複雑な操作をユーザに強いることなく、適正な解錠時刻が設定され、セキュリティを向上させることができる。
【００１６】
本発明の第２の特徴において、前記解錠時刻設定部が解錠時刻を設定した場合、前記電子錠を施錠してから所定の猶予期間内に限り、前記解錠禁止部の禁止機能を関わらず、前記解錠指示部は、前記本人認証部がユーザ本人を認証した時に前記電子錠を解錠してもよい。これにより、電子錠を施錠してから所定の猶予期間であれば、預け忘れや取り忘れなど不意の出来事に対応することができるようになり、ユーザの利便性が向上する。
【００１７】
本発明の第３の特徴は、ユーザ本人を認証する認証手段を登録する段階と、再び解錠することが可能となる解錠時刻を設定する段階と、電子錠を施錠する段階とを有する施錠ステップと、前記認証手段を照合することによりユーザ本人を認証する段階と、設定された前記解錠時刻を経過しているか否かを判断する段階と、ユーザ本人を認証し、且つ設定された前記解錠時刻を経過していると判断した後に、電子錠を解錠する段階とを有する解錠ステップとを備える電子錠の施錠解錠方法であることを要旨とする。
【発明の効果】
【００１８】
本発明に関わる電子錠装置、ロッカーシステム及び電子錠の施錠解錠方法によれば、本人認証の有無に関わらず解錠が不可能となる期間を設定することによってセキュリティを向上させることができる。
【発明を実施するための最良の形態】
【００１９】
以下図面を参照して、本発明の実施の形態を説明する。図面の記載において同一部分には同一符号を付して説明を省略する。
【００２０】
図２（ａ）は、本発明の実施の形態に係わる電子錠装置を適用したロッカーシステムの全体構成を示す外観図であり、図２（ｂ）は、図２（ａ）のロッカーシステムが備える各ボックス１１の扉１Ａの構成を示す平面図である。図２（ａ）に示すように、ロッカーシステムは、複数のボックス１１と複数のボックス１１を集中的に制御する集中制御装置１２とを一体にした本体１及び非接触型ＩＣカード２を備える。
【００２１】
本体１は、扉１Ａを有する複数のボックス１１と、扉１Ａ各々に設けられた電子錠１０と、電子錠１０各々の施錠及び解錠を集中的に制御する集中制御装置１２と、扉１Ａ各々に設けられたＬＣＤ表示部３０及び扉開閉スイッチ２０とを有する。
【００２２】
電子錠１０は電子的な操作によって施錠及び解錠が行われる錠であり、施錠及び解錠の動作を行うアクチュエータを備える。電子錠１０の施錠及び解錠は集中制御装置１２による電子的な操作によって行われる。閉じた状態の扉１Ａは、電子錠１０が解錠状態であれば開くことが出来るが、電子錠１０が施錠状態であれば開くことが出来ない。
【００２３】
ＬＣＤ表示部３０は、扉１Ａの外側表面に配置され、ボックス１１の利用状態を表示する。例えば、ボックスが利用中であればＬＣＤ表示部３０は点灯し、ボックスが利用されていなければＬＣＤ表示部３０は消灯する。ユーザはＬＣＤ表示部３０をみて、利用中のボックスと利用されていない空ボックスを容易に識別することができる。また、扉開閉スイッチ２０は、扉１Ａの内側表面又は側面に配置され、扉１Ａの開閉状態を検知するスイッチである。各扉１Ａの外側表面には個々のボックスを識別するためのボックス番号が記載された銘板７０が設置されている。
【００２４】
集中制御装置１２は、暗証番号や施錠した後再び解錠することが可能となる時刻（解錠時刻）等の入力を受け付けるテンキー６０と、非接触型ＩＣカード２との間で電波を使って相互に通信するためのアンテナ４０と、ユーザに対して様々な情報を提示するＬＣＤ表示器５０とを備える。
【００２５】
ロッカーシステムの本体１が備えるボックス１１の数は任意であり、本発明の実施の形態においてはＮ台としてする。
【００２６】
図１を参照して、図２のロッカーシステムの機能的な構成を説明する。集中制御装置１２は、例えばマイクロプロセッサなどで構成される制御部１２ａと、制御部１２ａの制御プログラムを記憶するＲＯＭや入力された暗証番号及び解錠時刻等を記憶するＲＡＭなどで構成されたメモリ１２ｂと、アンテナ４０を介して非接触型ＩＣカード２へ電波信号を送信し、非接触型ＩＣカード２からデータ信号を受信する送受信部１２ｃと、制御部１２ａに接続されたＩ／Ｏポート１２ｄと、Ｉ／Ｏポート１２ｄに接続されたＬＣＤ表示器５０及びテンキー６０とを備える。
【００２７】
Ｉ／Ｏポート１２ｄには、アクチュエータ１０ａ１〜１０ａＮ、ＬＣＤ表示部３０１〜３０Ｎ及び扉開閉スイッチ２０１〜２０Ｎも接続されている。アクチュエータ１０ａ、ＬＣＤ表示部３０及び扉開閉スイッチ２０はボックス１１各々に設置されているため、図１において、アクチュエータ１０ａ、ＬＣＤ表示部３０及び扉開閉スイッチ２０の符号に１〜Ｎの下付き文字を加えて識別する。
【００２８】
非接触型ＩＣカード２は、ユーザ本人が携帯する情報媒体の一例であって、集中制御装置１２から送信される特定の周波数の電波信号を受信し且つ送信用のアンテナとして機能するコイル２１ａを含む受信回路２１と、非接触型ＩＣカード２各々に固有の識別データ等が予め記憶されている集積回路部２２とを備える。受信回路２１はコイル２１ａが受信した電波信号から電力を誘起して集積回路部２２へ電力を供給する。集積回路部２２は、半導体チップ上に形成され、受信回路２１で誘起された電力で動作する。ユーザ本人が携帯する情報媒体は、非接触型ＩＣカード２に限らず、受信回路２１及び集積回路部２２と同様な機能を備えたリストバンド等であっても構わない。
【００２９】
受信回路２１は、集積回路部２２に記憶されているデータを集中制御装置１２へ送信する。また、集積回路部２２は、受信回路２１が受信した電波信号に含まれるデータを記憶することもできる。すなわち、集中制御装置１２は、非接触型ＩＣカード２からデータを読み取り、非接触型ＩＣカード２へデータを書き込むことができる。
【００３０】
制御部１２ａは、Ｉ／Ｏポート１２ｄを介して、ＬＣＤ表示器５０、テンキー６０、アクチュエータ１０ａ１〜１０ａＮ、ＬＣＤ表示部３０１〜３０Ｎ及び扉開閉スイッチ２０１〜２０Ｎを制御する。制御部１２ａは、メモリ１２ｂに記憶されているデータの読み出しやメモリ１２ｂへのデータの書き込み、及び送受信部１２ｃの送受信を制御する。
【００３１】
図３を参照して、図１の制御部１２ａの詳細な構成を説明する。制御部１２ａは、ユーザ本人を認証する本人認証部１２１と、本人認証部１２１がユーザ本人を認証した場合に電子錠１０を解錠する解錠指示部１２２と、電子錠１０を施錠する際に再び解錠することが可能となる解錠時刻を設定する解錠時刻設定部１２３と、解錠時刻設定部１２３が解錠時刻を設定した場合、設定された解錠時刻になるまで、解錠指示部１２２が電子錠１０を解錠することを禁止する解錠禁止部１２４とを備える。
【００３２】
本人認証部１２１は、例えば、ユーザ本人が登録した暗証番号によりユーザ本人を認証する。具体的に、ボックス１１内に荷物を預け入れる場合、暗証番号を登録する暗証番号登録部の一例としてのテンキー６０は、ユーザによる任意の暗証番号の入力を受け付ける。制御部１２ａは、入力された暗証番号をメモリ１２ｂ（例えばＲＡＭ）に登録する。ボックス１１内から荷物を取り出す場合、テンキー６０は、再びユーザによる暗証番号の入力を受け付け、本人認証部１２１は、メモリ１２ｂに登録した暗証番号と再び入力された暗証番号とを照合する。両者が一致する場合、本人認証部１２１はユーザ本人を認証する。
【００３３】
本人認証部１２１は、暗証番号の代わりに、非接触型ＩＣカード２に記録された識別データによりユーザ本人を認証してもよい。具体的に、ボックス１１内に荷物を預け入れる場合、ユーザ本人が携帯する情報媒体に記録されているデータを読み取るリーダ部の一例としてのアンテナ４０及び送受信部１２ｃは、非接触型ＩＣカード２から送信される電波信号を受信し、電波信号に含まれる識別データの入力を受け付ける。制御部１２ａは、入力された識別データをメモリ１２ｂ（例えばＲＡＭ）に登録する。ボックス１１内から荷物を取り出す場合、送受信部１２ｃは、アンテナ４０を介して、再び非接触型ＩＣカード２から識別データの入力を受け付け、本人認証部１２１は、メモリ１２ｂに登録した識別データと再び入力された識別データとを照合する。両者が一致する場合、本人認証部１２１はユーザ本人を認証する。
【００３４】
なお、本人を認証する認証手段は、暗証番号と識別データのいずれか一方のみであってもよいが、暗証番号と識別データを併用してもよい。また、本人を認証する認証手段は、ロッカーシステムの電源投入時に予め定めてもよいが、暗証番号のみ、識別データのみ、或いは暗証番号＋識別データなどの選択肢の中からユーザが選択することによって定めても構わない。
【００３５】
解錠指示部１２２は、本人認証部１２１がユーザ本人を認証した場合、Ｉ／Ｏポート１２ｄを介して、ユーザ本人が利用しているボックス１１に設置された特定のアクチュエータ１０ａへ制御信号を送信する。制御信号を受信したアクチュエータ１０ａは施錠状態から解錠状態に変化する。なお、制御部１２ａは、当該制御信号を送信に併せて、ＬＣＤ表示部３０を例えば点滅させてもよい。これによりユーザに対して解錠状態にあるボックス１１を明示することができる。
【００３６】
解錠時刻設定部１２３は、例えば、ユーザ本人がロッカーシステムの利用を開始してから所定の時間後の時刻を解錠時刻として設定する。これを「第１の解錠時刻設定方法」という。
【００３７】
ここで、「ユーザ本人がロッカーシステムの利用を開始する時」には、ユーザがボックス１１内に初めて荷物を預け入れて施錠する時のみならず、既に荷物を預け入れて施錠したボックスの扉を解錠し、再び施錠する時も含まれる。或いは、ユーザ本人がロッカーシステムの利用意思を示した時、例えば、暗証番号や利用するボックス番号の入力を受け付けた時から所定の時間後の時刻を解錠時刻として設定してもよいし、ロッカーシステムが空きボックスを施錠状態で待機させる「施錠待機」のタイプである場合であれば利用するボックスの錠が解錠された時から起算してもよい。
【００３８】
また、「所定の時間」は、ロッカーシステムの初期設定時等において予め設定されている時間であって、ロッカーシステムの設置場所やユーザの利用目的などに応じて適宜調整可能である。例えば、ゴルフコース、スポーツクラブ、フィットネスクラブ、公衆浴場等の設置場所やこれらの施設を利用するユーザの平均的な利用時間等に応じて定めればよい。
【００３９】
解錠時刻設定部１２３は、ユーザ本人が入力した時刻を解錠時刻として設定しても構わない。これを「第２の解錠時刻設定方法」という。具体的に、時刻を入力する時刻入力部の一例としてのテンキー６０は、ユーザがボックス１１内に荷物を預け入れて施錠する際に、ユーザによる任意の時刻の入力を受け付ける。解錠時刻設定部１２３は、入力された時刻（取出時刻）を解錠時刻として設定する。解錠時刻を設定し、且つ電子錠１０を施錠した後、解錠時刻設定部１２３は原則として、たとえ本人認証が成された場合であっても解錠時刻を変更せず、解錠時刻の設定を解除しない。
【００４０】
なお、解錠時刻を設定する方法は、ロッカーシステムの初期設定において上記２つの方法のいずれかを予め選択しておいても良いし、各ユーザがロッカーシステムを利用する度に上記２つの方法をＬＣＤ表示器５０に表示し、ユーザにいずれか一方を選択させることによって決定しても構わない。また同時に、解錠時刻設定部１２３が解錠時刻を設定せずにロッカーシステムを利用することができるような選択肢を別途設けても構わない。
【００４１】
解錠禁止部１２４は、解錠時刻設定部１２３が解錠時刻を設定した場合、設定された解錠時刻になるまで、解錠指示部１２２が電子錠１０を解錠することを禁止する。これにより、たとえ本人認証部１２１がユーザ本人を認証した時であっても当該解錠時刻になるまで解錠することが不可能となり、解錠時刻までの間、ロッカーシステムのセキュリティが向上し、ユーザの安心感も高まる。また前述したように、解錠時刻を設定し、且つ電子錠１０を施錠した後、解錠時刻設定部１２３は原則として、たとえ本人認証が成された場合であっても解錠時刻を変更せず、解錠時刻の設定を解除しない。これにより、不正に解錠時刻を変更したり、解錠時刻の設定を解除することが出来ないので、ロッカーシステムのセキュリティが更に向上する。
【００４２】
制御部１２ａは、非接触型ＩＣカード２に記録されているユーザ本人のスケジュールを示すデータに基づいて、ユーザ本人が入力した時刻が適正か否かを判断する取出時刻判断部１２５を更に備えていてもよい。
【００４３】
ゴルフコース、スポーツクラブ、フィットネスクラブなどの施設においては、利用者ごとに、プレーするゴルフコース種類、スタート時刻、運動メニューや運動スケジュール等が規定され、利用者はこれらに従ってスケジュールを組んで行動する場合がある。この場合、利用者（ユーザ）がロッカーシステムを利用する時間を、ユーザ本人のスケジュールから予測することができる。
【００４４】
そして、非接触型ＩＣカード２の集積回路部２２に、識別データ（カードＩＤ）の他に、プレーするゴルフコース種類、スタート時刻、運動メニューや運動スケジュール等のユーザ本人のスケジュールを示すデータを書き込み、記憶させることができる。
【００４５】
そこで、ボックス１１内に荷物を預け入れる際に、アンテナ４０及び送受信部１２ｃは、非接触型ＩＣカード２から送信される電波信号を受信し、電波信号に含まれるユーザ本人のスケジュールを示すデータの入力を受け付ける。取出時刻判断部１２５は、入力されたユーザ本人のスケジュールを示すデータに基づいて、ユーザ本人が入力した取出時刻が適正か否かを判断する。そして、解錠時刻設定部１２３は、ユーザ本人が入力した取出時刻が適正であると取出時刻判断部１２５が判断した場合、ユーザ本人が入力した取出時刻を解錠時刻として設定する。これにより、ユーザの入力による誤った解錠時刻の設定が抑制され、ユーザの時刻設定の負担が軽減され、利便性が更に向上する。ユーザ本人が入力した取出時刻が適正でないと取出時刻判断部１２５が判断した場合、制御部１２ａは、ＬＣＤ表示器５０に、取出時刻が適正でなく、スケジュールに従って正しい取出時刻を再入力することを促すメッセージを表示してもよい。
【００４６】
また、第１及び第２の解錠時刻設定方法の他に、解錠時刻設定部１２３が非接触型ＩＣカード２に記録されているユーザ本人のスケジュールを示すデータに基づいて自ら解錠時刻を設定する方法を選択することも可能である。これを「第３の解錠時刻設定方法」という。解錠時刻設定部１２３は、ユーザ本人のスケジュールを示すデータに基づいて解錠時刻を設定するため、ユーザが自ら解錠時刻を入力する必要がなくなるので、複雑な操作がユーザに強いることなく、適正な解錠時刻が設定され、セキュリティを向上させることができる。
【００４７】
図４を参照して、図１のメモリ１２ｂに予め設定したレジスタの構成を説明する。レジスタＲ（ｎ）は、非接触型ＩＣカード２から送信された識別コードを登録するために設けられたＲＡＭ内の記憶領域であって、各ボックス１１に対応して設けられており、インデックスｎはレジスタのアドレスに対応するボックス番号を示す。ロッカーシステムが備えるボックスの数はＮであるため、ｎは１〜Ｎの自然数を取り得る。制御部１２ａは、非接触型ＩＣカード２から識別コードが入力された場合、入力された識別コードがレジスタＲ（ｎ）のいずれかに登録されているか否かを判断する。
【００４８】
入力された識別コードがレジスタＲ（ｎ）に識別コードが登録されているか否かは、例えば、次の通りアルゴリズムで判断することができる。すなわち、先ずインデックスｎを１に設定してレジスタＲ（１）の内容を読み出し、入力された識別コードとレジスタＲ（１）の内容とを照合する。両者が一致しない場合、入力された識別コードとレジスタＲ（ｎ）の内容とが一致するか又はインデックスｎがＮよりも大きくなるまで、インデックスｎを１づつ更新して同様な照合を繰り返し実施する。入力された識別コードがいずれかのレジスタＲ（ｎ）の内容と一致した場合、入力された識別コードがレジスタＲ（ｎ）に登録されていると判断し、入力された識別コードがいずれかのレジスタＲ（ｎ）の内容とも一致せずにインデックスｎがＮよりも大きくなった場合、入力された識別コードがレジスタＲ（ｎ）に登録されていないと判断する。
【００４９】
次に、図５〜図８を参照して、図１のロッカーシステムにおける電子錠１０の施錠解錠方法を説明する。先ず、図５を参照して、ユーザがボックス１１内に初めて荷物を預け入れて施錠する時の図１のロッカーシステムの動作を示すフローチャートである。
【００５０】
（イ）ステップＳ０１において、アンテナ４０及び送受信部１２ｃは、非接触型ＩＣカード２から電波信号を受信し、電波信号に含まれる識別データの入力を受け付けることを待機する。アンテナ４０及び送受信部１２ｃが電波信号を受信し、識別データの入力を受け付けた場合（Ｓ０１でＹＥＳ）、ステップＳ０２へ進み、制御部１２ａは、入力された識別コードが図４のレジスタＲ（１）〜Ｒ（ｎ）のいずれかに登録されているか否かを判断する。
【００５１】
（ロ）識別コードがレジスタＲ（１）〜Ｒ（ｎ）のいずれかに登録されている場合（Ｓ０２でＹＥＳ）、図６のフローチャートに示すステップＳ１１へ進む。一方、識別コードがレジスタＲ（１）〜Ｒ（ｎ）のいずれかにも登録されていない場合（Ｓ０２でＮＯ）、ステップＳ０３へ進む。
【００５２】
（ハ）ステップＳ０３において、テンキー６０は、ユーザによる空きボックス番号の入力を受け付ける。そして、制御部１２ａは、ステップＳ０１で入力された識別コードを、入力されたボックス番号に対応するレジスタＲ（ｎ）に登録する。ステップＳ０４に進み、テンキー６０は、ユーザによる任意の暗証番号の入力を受け付ける。制御部１２ａは、入力された暗証番号を前記のボックス番号又は識別データと連結させてメモリ１２ｂ（例えばＲＡＭ）に登録する。
【００５３】
（ニ）ステップＳ０５に進み、解錠時刻設定部１２３は、電子錠１０を施錠する際に再び解錠することが可能となる解錠時刻を設定する。ステップＳ０５は、ユーザ本人が入力した取出時刻を解錠時刻として設定する「第２の解錠時刻設定方法」に相当するステップであって、ステップＳ５０１〜ステップＳ５０４からなる。先ず、ステップＳ５０１において、解錠時刻設定部１２３は、ユーザによって取出時刻が入力されたか否かを判断する。ユーザは、荷物を預け入れる際に解錠時刻を設定するかしないかをステップＳ５０１において選択することができる。
【００５４】
（ホ）ユーザによって取出時刻が入力されなかった場合（Ｓ５０１でＮＯ）、解錠時刻設定部１２３は解錠時刻を設定せずにステップＳ０５は終了し、ステップＳ０６へ進む。一方、ユーザによって取出時刻が入力された場合（Ｓ５０１でＹＥＳ）、ステップＳ５０２に進み、取出時刻判断部１２５は、非接触型ＩＣカード２に記録されているユーザ本人のスケジュールを示すデータに基づいて、ユーザ本人が入力した取出時刻が適正か否かを判断する。なお、ユーザ本人のスケジュールを示すデータは、ステップＳ０１において非接触型ＩＣカード２から識別データが入力される際に、同時に入力され、メモリ１２ｂに記憶されている。
【００５５】
（へ）ユーザ本人が入力した取出時刻が適正でないと取出時刻判断部１２５が判断した場合（Ｓ５０２でＮＯ）、ステップＳ５０３へ進み、制御部１２ａは、ＬＣＤ表示器５０に、入力された取出時刻がスケジュールに従った適正なものではなく、スケジュールに従って正しい取出時刻を再入力することをユーザに促すメッセージを表示する。その後、Ｓ５０１へ戻る。一方、ユーザ本人が入力した取出時刻が適正であると取出時刻判断部１２５が判断した場合（Ｓ５０２でＹＥＳ）、ステップＳ５０４へ進み、解錠時刻設定部１２３は、ユーザ本人が入力した取出時刻を解錠時刻として設定する。ステップＳ５０４を実施することにより、ステップ０５において、電子錠１０を施錠する際に再び解錠することが可能となる解錠時刻が設定される。その後、ステップＳ０６へ進む。
【００５６】
（ト）図１のロッカーシステムは、空きボックスを施錠状態で待機させる「施錠待機」のタイプであるため、ステップＳ０６において、制御部１２ａは、ステップＳ０３で特定されたボックス１１の電子錠１０が備えるアクチュエータ１０ａを解錠する制御信号をＩ／Ｏポート１２ｄを介して送信する。これにより、ステップＳ０３で特定されたボックス１１の電子錠１０が解錠される。その後、ステップＳ０７へ進み、ステップＳ０３で特定されたボックス１１の扉開閉スイッチ２０が扉１Ａの開状態を検知し、その後に扉１Ａの閉状態を検知すること、或いは、扉開閉スイッチ２０が扉１Ａの開閉を検知することなく所定時間が経過することを待機する。
【００５７】
（チ）前記のいずれかの事項が行われた後、ステップＳ０８へ進み、制御部１２ａは、ステップＳ０３で特定されたボックス１１の電子錠１０が備えるアクチュエータ１０ａを施錠する制御信号をＩ／Ｏポート１２ｄを介して送信する。これにより、ステップＳ０３で特定されたボックス１１の電子錠１０が施錠される。その後、ステップＳ０９へ進み、制御部１２ａは、ＬＣＤ表示器５０に「ステップＳ０３で特定されたボックス１１が施錠された」旨を表示する。
【００５８】
以上の手順によって、ユーザ本人を認証する認証手段の一例としての暗証番号を登録する段階（Ｓ０４）と、再び解錠することが可能となる解錠時刻を設定する段階（Ｓ５０４）と、電子錠１０を施錠する段階（Ｓ０８）とを有する「施錠ステップ」を実施することができる。
【００５９】
さらに、ユーザは、自ら入力した取出時刻を解錠時刻として設定して、ボックス１１を施錠することができる。勿論、ユーザは、自らの選択（Ｓ５０１でＮＯ）によって、解錠時刻を設定せずにボックス１１を施錠することも可能である。
【００６０】
なお、図５のフローチャートにおいて、取出時刻判断部１２５が、非接触型ＩＣカード２に記録されているユーザ本人のスケジュールを示すデータに基づいて、ユーザ本人が入力した時刻が適正か否かを判断するステップＳ５０２を実施しなくてもよい。すなわち、ステップＳ５０１で取出時刻の入力が有れば（Ｓ５０１でＹＥＳ）、入力した時刻が適正か否かを判断せずに、Ｓ５０４へ直接進み、解錠時刻設定部１２３が取出時刻を解錠時刻として設定しても構わない。
【００６１】
図６を参照して、既に荷物を預け入れて施錠したボックスの扉をユーザが解錠して再び施錠するとき、或いは利用を終了する時の図１のロッカーシステムの動作を示すフローチャートである。
【００６２】
図５のステップＳ０２で識別コードがレジスタＲ（１）〜Ｒ（ｎ）のいずれかに登録されている場合（Ｓ０２でＹＥＳ）、この識別コードによって認証されるユーザ本人は、既に荷物をボックス１１内に預け入れて施錠していることになる。よって、ロッカーシステムは、図６のフローチャートにしたがって、当該ボックス１１を再び施錠する時、或いは当該ボックス１１の利用を終了する時の動作を実施する。
【００６３】
（Ａ）図５のステップＳ０２でＹＥＳの場合、先ず、ステップＳ１１へ進み、テンキー６０は、再びユーザによる暗証番号の入力を受け付ける。その後、ステップＳ１２へ進み、本人認証部１２１は、メモリ１２ｂに登録した暗証番号と再び入力された暗証番号とを照合する。両者が一致しない場合（Ｓ１２でＹＥＳ）、本人認証部１２１はユーザ本人を認証せずに、ステップＳ２１へ進み、ＬＣＤ表示器５０に解錠できない旨のメッセージを表示する。一方、両者が一致する場合（Ｓ１２でＹＥＳ）、ステップＳ１３へ進む。
【００６４】
（Ｂ）ステップＳ１３において、制御部１２ａは、解錠時刻が設定されているか否かを判断する。解錠時刻が設定されていない場（Ｓ１３でＮＯ）、ステップＳ１５へ進む。一方、解錠時刻が設定されている場（Ｓ１３でＹＥＳ）、ステップＳ１４へ進み、解錠禁止部１２４は、設定された解錠時刻を経過しているか否かを判断する。解錠時刻を経過していない場合（Ｓ１４でＮＯ）、解錠禁止部１２４が解錠時刻になるまで解錠指示部１２２が電子錠１０を解錠することを禁止するので、ステップＳ２１へ進み、ＬＣＤ表示器５０に解錠できない旨のメッセージを表示する。一方、解錠時刻を経過している場合（Ｓ１４でＹＥＳ）、ステップＳ１５へ進む。
【００６５】
（Ｃ）ステップＳ１５においては、図５のステップＳ０５と同じ動作を実施する。これにより、ステップＳ１５では、施錠したボックス１１の扉１Ａをユーザが一時的に解錠し、再び施錠する際に、その後再び解錠することが可能となる解錠時刻を設定することができる。その後、ステップＳ１６へ進む。
【００６６】
（Ｄ）ステップＳ１６において、制御部１２ａは、ユーザが利用しているボックス１１の電子錠１０を解錠し、ＬＣＤ表示器５０に解錠されたボックス１１のボックス番号を表示する。その後、ステップＳ１８へ進み、解錠されたボックス１１の扉開閉スイッチ２０が扉１Ａの開状態を検知し、その後に扉１Ａの閉状態を検知すること、或いは、扉開閉スイッチ２０が扉１Ａの開閉を検知することなく所定時間が経過することを待機する。
【００６７】
（Ｅ）前記のいずれかの事項が行われた後、ステップＳ１９へ進み、制御部１２ａは、解錠されたボックス１１の電子錠１０を再び施錠する。その後、ステップＳ２０へ進み、制御部１２ａは、ＬＣＤ表示器５０に「利用中のボックス１１が施錠された」旨或いは「ボックス１１の利用が終了した」旨を表示する。
【００６８】
以上の手順によって、暗証番号を照合することによりユーザ本人を認証する段階（Ｓ１２）と、設定された解錠時刻を経過しているか否かを判断する段階（Ｓ１４）と、ユーザ本人を認証し、且つ設定された前記解錠時刻を経過していると判断した後に、電子錠１０を解錠する段階（Ｓ１６）とを有する解錠ステップを実施することができる。
【００６９】
さらに、ユーザは、既に荷物を預け入れて施錠したボックスの扉をユーザが解錠して再び施錠する、或いはボックス１１の利用を終了することができる。そして、再び施錠する際に、自ら入力した取出時刻を解錠時刻として設定して、ボックス１１を施錠することができる。勿論、ユーザは、自らの選択（Ｓ５０１でＮＯ）によって、解錠時刻を設定せずにボックス１１を再び施錠することも可能である。
【００７０】
本人認証に失敗した場合、或いは解錠時刻を経過していない場合、たとえユーザ本人であっても解錠操作を行うことは出来ず、解錠する方法としては、ロッカーシステムの管理者が所有するマスターキーを用いて解錠するなどの方法がある。
【００７１】
以上説明したように、本発明の実施の形態によれば、以下の作用効果が得られる。
【００７２】
解錠時刻設定部１２３が解錠時刻を設定した場合、解錠時刻になるまで解錠指示部１２２が電子錠を解錠することを解錠禁止部１２４が禁止することにより、たとえ本人認証部１２１がユーザ本人を認証した時であっても解錠時刻になるまで解錠することが不可能となり、解錠時刻までの間、ロッカーシステムのセキュリティが向上し、ユーザの安心感も高まる。
【００７３】
ユーザ本人が入力した取出時刻を解錠時刻として設定する「第２の解錠時刻設定方法」によれば、ユーザは、希望する解錠時刻を指定することができるので、ユーザ本人の利便性が向上する。なお、取出時刻の代わりに解錠を禁止する禁止時間を入力し、解錠時刻設定部１２３が、電子錠１０を施錠した時刻から入力された禁止時間後の時刻を解錠時刻として設定してもよい。
【００７４】
ユーザ本人のスケジュールを示すデータに基づいてユーザ本人が入力した取出時刻が適正か否かを取出時刻判断部１２５が判断することにより、ユーザの入力による誤った解錠時刻の設定が抑制され、ユーザの時刻設定の負担が軽減され、利便性が更に向上する。
（第１の変形例）
第１の変形例では、図５のステップ０５又は図６のステップＳ１５の代わりに、図７のステップＳ０５ｂを実施する電子錠１０の施錠解錠方法について説明する。図７のステップＳ０５ｂは、解錠時刻設定部１２３が非接触型ＩＣカード２に記録されているユーザ本人のスケジュールを示すデータに基づいて自ら解錠時刻を設定する「第３の解錠時刻設定方法」の一例を示すフローチャートである。
【００７５】
ステップＳ５２１において、制御部１２ａは、電子錠１０を施錠する際に解錠時刻を設定するか否かのユーザの意思表示を受け付ける。解錠時刻を設定する意思表示があった場合（Ｓ５２１でＹＥＳ）、解錠時刻設定部１２３は、非接触型ＩＣカード２に記録されているユーザ本人のスケジュールを示すデータに基づいて解錠時刻を自ら判断して設定する。一方、解錠時刻を設定しない意思表示があった場合（Ｓ５２１でＮＯ）、解錠時刻を設定せずに図５のステップＳ０６へ進む。
【００７６】
解錠時刻設定部１２３がユーザ本人のスケジュールを示すデータに基づいて自ら解錠時刻を設定する「第３の解錠時刻設定方法」によれば、ユーザが自ら解錠時刻を入力する必要がなくなるので、複雑な操作をユーザに強いることなく、適正な解錠時刻が設定され、セキュリティを向上させることができる。
（第２の変形例）
第２の変形例では、図５のステップ０５又は図６のステップＳ１５の代わりに、図８のステップＳ０５ｃを実施する電子錠１０の施錠解錠方法について説明する。図８のステップＳ０５ｃは、解錠時刻設定部１２３がロッカーシステムの利用を開始してから所定の時間後の時刻を解錠時刻として設定する「第１の解錠時刻設定方法」の一例を示すフローチャートである。
【００７７】
ステップＳ５４１において、制御部１２ａは、電子錠１０を施錠する際に解錠時刻を設定するか否かのユーザの意思表示を受け付ける。解錠時刻を設定する意思表示があった場合（Ｓ５４１でＹＥＳ）、解錠時刻設定部１２３は、ユーザ本人がロッカーシステムの利用を開始してから所定の時間後の時刻を解錠時刻として設定する。一方、解錠時刻を設定しない意思表示があった場合（Ｓ５４１でＮＯ）、解錠時刻を設定せずに図５のステップＳ０６へ進む。
【００７８】
ユーザ本人がロッカーシステムの利用を開始してから所定の時間後の時刻を解錠時刻として設定する「第１の解錠時刻設定方法」によれば、解錠時刻は、ユーザ本人がロッカーシステムの利用を開始した時刻に基づいて定まるため、ユーザが自ら解錠時刻を設定する必要がなくなる。よって、複雑な操作をユーザに強いることなく、セキュリティを向上させることができる。ユーザ毎に、ロッカーシステムを利用する時間にあまり差がでないような場合（例えば、公衆浴場内の貴重品ボックスなど）に特に有効である。
（第３の変形例）
解錠時刻設定部１２３が解錠時刻を設定して電子錠１０を施錠してしまうと、解錠時刻までは、たとえユーザ本人であっても解錠することは出来ない。しかし、実際には預け忘れや取り忘れなど不意の出来事が発生する場合もあり、このような場合にも対応する必要がある。
【００７９】
そこで、解錠時刻設定部１２３が解錠時刻を設定した場合、電子錠１０を施錠した時（Ｓ０８、Ｓ１９）から所定の猶予期間（例えば５分程度）内に限り、解錠禁止部１２４の禁止機能を関わらず、解錠指示部１２２は、本人認証部１２１がユーザ本人を認証した時に電子錠１０を解錠する。これにより、電子錠１０を施錠してから所定の猶予期間であれば、預け忘れや取り忘れなど不意の出来事に対応することができるようになり、ユーザの利便性が向上する。
（その他の実施の形態）
上記のように、本発明は、１つの実施形態及び第１〜第３の変形例によって記載したが、この開示の一部をなす論述及び図面はこの発明を限定するものであると理解すべきではない。この開示から当業者には様々な代替実施の形態、実施例及び運用技術が明らかとなろう。
【００８０】
実施の形態では、空きボックスを施錠状態で待機させる「施錠待機」のロッカーシステムについて説明したが、空きボックスを施錠状態で待機させる「解錠待機」のロッカーシステムについても適用することができる。解錠待機のロッカーシステムの動作は、図５及び図６のフローチャートから、図５のステップＳ０６及び図６のステップＳ１６をそれぞれ除いたものに相当する。
【００８１】
ユーザ本人が携帯する情報媒体に記録されているデータの例として、非接触型ＩＣカード２の集積回路部２２に記憶さえた識別データを挙げたが、これに限らず、例えば、ユーザが携帯するカードやリストバンド等の情報媒体に表記されている１次元／２次元バーコードやカードＩＤ番号などであっても構わない。
【００８２】
また、ユーザ本人を認証する認証手段として、ユーザ本人が任意に設定する暗証番号、ユーザ本人が携帯する情報媒体に記録されている識別データを例示したが、これ以外にも、指紋、指静脈、掌静脈、虹彩、声紋などの生体情報を用いてユーザ本人を認証しても構わない。
【００８３】
ここでは、本発明の実施の形態に関わる電子錠装置を適用したロッカーシステムについて説明したが、本発明の実施の形態に関わる電子錠装置は、ロッカーシステムに限らず、建物の扉や窓、金庫の扉に対しても適用することが可能である。
【００８４】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００８５】
【図１】本発明の実施の形態に係わるロッカーシステムの全体構成を示すブロック図である。
【図２】図２（ａ）は、本発明の実施の形態に係わるロッカーシステムの外観構成を示す斜視図であり、図２（ｂ）は、図２（ａ）のロッカーシステムが備える各ボックス１１の扉１Ａの構成を示す平面図である。
【図３】図１の制御部１２ａの詳細な構成を示すブロック図である。
【図４】図１のメモリ１２ｂに予め設定した識別コードの登録レジスタの構成を示す模式図である。
【図５】ユーザがボックス１１内に初めて荷物を預け入れて施錠する時の図１のロッカーシステムの動作を示すフローチャートである。
【図６】既に荷物を預け入れて施錠したボックスの扉をユーザが解錠して再び施錠する時、或いは利用を終了する時の図１のロッカーシステムの動作を示すフローチャートである。
【図７】解錠時刻設定部１２３が非接触型ＩＣカード２に記録されているユーザ本人のスケジュールを示すデータに基づいて自ら解錠時刻を設定する「第３の解錠時刻設定方法」の一例を示すフローチャートである。
【図８】解錠時刻設定部１２３がロッカーシステムの利用を開始してから所定の時間後の時刻を解錠時刻として設定する「第１の解錠時刻設定方法」の一例を示すフローチャートである。
【符号の説明】
【００８６】
１…本体
１Ａ…扉
２…カード
１０…電子錠
１０ａ、１０ａ１〜１０ａＮ…アクチュエータ
１１…ボックス
１２…集中制御装置
１２ａ…制御部
１２ｂ…メモリ
１２ｃ…送受信部
１２ｄ…Ｉ／Ｏポート
２０、２０１〜２０Ｎ…扉開閉スイッチ
２１…受信回路
２１ａ…コイル
２２…集積回路部
３０、３０１〜３０Ｎ…ＬＣＤ表示部
４０…アンテナ
５０…ＬＣＤ表示器
６０…テンキー
７０…銘板
１２１…本人認証部
１２２…解錠指示部
１２３…解錠時刻設定部
１２４…解錠禁止部
１２５…取出時刻判断部
【図１】
2009155981.tif 000003
【図２】
2009155981.tif 000004
【図３】
2009155981.tif 000005
【図４】
2009155981.tif 000006
【図５】
2009155981.tif 000007
【図６】
2009155981.tif 000008
【図７】
2009155981.tif 000009
【図８】
2009155981.tif 000010